(57)【特許請求の範囲】
【請求項１】
管状体部と、
この管状体部の外面に軸長方向に沿って所定の間隔で形成された複数の膨出部とを備えた管状体であって、
前記膨出部は、各々、管状体部の外面から所定の高さを有し且つ管状体部の周方向に沿って形成された突起部と、この突起部を境にして軸長方向の一方側に形成された傾斜部と、この傾斜部よりも急勾配を有し且つ突起部を境にして軸長方向の他方側に形成された縮径部とから構成されており、
管状体部の外面には、軸長方向に沿って筋状の竹目模様が形成され、
膨出部の縮径部には、塗膜層とこの塗膜層を覆う装飾層とを形成し、該装飾層を研磨処理することによって、管状体部の周方向に沿って塗膜層の一部を線状に露出させ、この露出した線状の塗膜層の濃さや太さや端面形状が変化し且つ揺らいでいるような線状模様をこの膨出部と一体的に形成されていることを特徴とする管状体。
【請求項２】
前記筋状の竹目模様及び線状模様は、互いに同系色で形成されていることを特徴とする請求項１に記載の管状体。
【請求項３】
前記管状体部は、元側から先側に向って先細りテーパ状を成し、前記膨出部がこの管状体部の外面に軸長方向に沿って所定の間隔で複数形成され、
前記膨出部は、管状体部の元側において相互に近接し、先側に行くに従って相互の間隔が拡がっていると共に、前記筋状の竹目模様は、筋状の模様を形成する線の太さや傾斜方向及び蛇行方向の少なくとも１つを管状体部の元側で大きくし、且つ、管状体部の先側で小さくしたことを特徴とする請求項１に記載の管状体。
【請求項４】
管状体部と、この管状体部の外面に軸長方向に沿って所定の間隔で形成された複数の膨出部とを備えた管状体を製造する方法であって、
前記膨出部を形成する工程は、管状体部の外面から所定の高さを有し且つ管状体部の周方向に沿う突起部を形成する工程と、この突起部を境にして軸長方向の一方側に傾斜部を形成すると共に、この傾斜部よりも急勾配を有し且つ突起部を境にして軸長方向の他方側に縮径部を形成する工程とを有しており、更に、
管状体部の外面に軸長方向に沿ってシゴキ塗装を施すことによって、管状体部の外面に軸長方向に沿う筋状の竹目模様を形成し、膨出部の縮径部に、周方向に沿って塗膜層とこの塗膜層を覆う装飾層とを形成し、該装飾層を研磨処理することによって、管状体部の周方向に沿って塗膜層の一部を線状に露出させ、この露出した線状の塗膜層の濃さや太さや端面形状が変化し且つ揺らいでいるような線状模様をこの膨出部と一体的に形成する工程を有することを特徴とする製造方法。
【請求項５】
前記傾斜部及び縮径部は、前記突起部を形成する工程によって形成されることを特徴とする請求項４に記載の製造方法。
【請求項６】
前記筋状の竹目模様及び線状模様は、互いに同系色で形成されていることを特徴とする請求項４又は５に記載の製造方法。
【発明の詳細な説明】
【０００１】
【発明の属する技術分野】
本発明は、自然な感じの線状模様が施され且つ耐久性に優れた管状体及びその製造方法に関する。
【０００２】
【従来の技術】
従来から、管状体の外面に自然な感じの線状模様を施す種々の方法が知られている。その第１の方法としては、管状体を回転させながら塗料を線状に塗装する方法が知られており、第２の方法としては、スクリーン印刷等の印刷処理によって管状体の外面に線状模様を施す方法が知られている。そして、第３の方法としては、シール状又はテープ状、或いは、リング状の部品を管状体の外面に取り付ける方法が知られている。
【０００３】
【発明が解決しようとする課題】
しかしながら、第１及び第２の方法では、機械的（人工的）或いは工業製品的な感じの線状模様とならざるを得ず、自然な感じの外観を表現することができない。また、第３の方法では、管状体に取り付けられた部品が経年変化により剥離したりヒビが入ったりする等、耐久性の面で問題がある。更に、第１〜第３の方法のいずれの場合であっても、線状模様を施すことが可能な部位が限定され、複雑な外形を成す部位には、線状模様を施すことができない。
【０００４】
本発明は、このような問題を解決するために成されており、その目的は、自然な感じの線状模様が施され且つ耐久性に優れた管状体及びその製造方法を提供することにある。
【０００５】
【課題を解決するための手段】
このような目的を達成するために、本発明は、
管状体部と、この管状体部の外面に軸長方向に沿って所定の間隔で形成された複数の膨出部とを備えた管状体であって、前記膨出部は、各々、管状体部の外面から所定の高さを有し且つ管状体部の周方向に沿って形成された突起部と、この突起部を境にして軸長方向の一方側に形成された傾斜部と、この傾斜部よりも急勾配を有し且つ突起部を境にして軸長方向の他方側に形成された縮径部とから構成されており、管状体部の外面には、軸長方向に沿って筋状の竹目模様が形成され、膨出部の縮径部には、塗膜層とこの塗膜層を覆う装飾層とを形成し、該装飾層を研磨処理することによって、管状体部の周方向に沿って塗膜層の一部を線状に露出させ、この露出した線状の塗膜層の濃さや太さや端面形状（輪郭）が変化し且つ揺らいでいるような線状模様をこの膨出部と一体的に形成されている。
また、本発明は、管状体部と、この管状体部の外面に軸長方向に沿って所定の間隔で形成された複数の膨出部とを備えた管状体を製造する方法であって、前記膨出部を形成する工程は、管状体部の外面から所定の高さを有し且つ管状体部の周方向に沿う突起部を形成する工程と、この突起部を境にして軸長方向の一方側に傾斜部を形成すると共に、この傾斜部よりも急勾配を有し且つ突起部を境にして軸長方向の他方側に縮径部を形成する工程とを有しており、更に、管状体部の外面に軸長方向に沿ってシゴキ塗装を施すことによって、管状体部の外面に軸長方向に沿う筋状の竹目模様を形成し、膨出部の縮径部に、周方向に沿って塗膜層とこの塗膜層を覆う装飾層とを形成し、該装飾層を研磨処理することによって、管状体部の周方向に沿って塗膜層の一部を線状に露出させ、この露出した線状の塗膜層の濃さや太さや端面形状（輪郭）が変化し且つ揺らいでいるような線状模様をこの膨出部と一体的に形成する工程を有する。
【０００６】
【発明の実施の形態】
以下、本発明の一実施の形態に係る管状体について、添付図面を参照して説明する。
【０００７】
なお、本発明の管状体としては、例えば、釣竿、ゴルフクラブやテニスラケットのシャフト等が該当するが、以下の実施の形態では、その一例として、釣竿（１本竿、継ぎ竿など）を用いて説明する。
【０００８】
図１（ａ）に示すように、管状体即ち釣竿１には、その管状体部即ち竿管３の外面に、軸長方向Ｓに沿って所定の間隔で複数の膨出部５が形成されており、これら膨出部５によって自然な感じの模様（軸長方向Ｓの竹目模様、周方向の線状模様など）が表現されている。
【０００９】
図１（ｂ）に示すように、膨出部５は、各々、竿管３の軸長方向Ｓに沿って左右非対称に肉盛り形成されており、竿管３外面から所定の高さを有し且つ竿管３の周方向に沿って形成された突起部７と、この突起部７を境にして軸長方向Ｓの一方側に形成された傾斜部９と、この傾斜部９とは異なる勾配を有し且つ突起部７を境にして軸長方向Ｓの他方側に形成された縮径部１１とを備えて構成されている。
【００１０】
膨出部５は、自然な感じの竹節形状となるように、その軸長方向Ｓに沿った長さ寸法Ｌ１を５〜７ｍｍ以上で４０ｍｍ以下（好ましくは、１０〜３０ｍｍ）に設定することが好ましい。
【００１１】
突起部７は、膨出部５の高さＨの基準を成しており、その頂部７ａは、突形状或いは軸長方向Ｓに沿った平坦形状にすることができる。いずれの形状であっても、突起部７の高さＨ（竿管３外面から頂部７ａまでの高さ）は、０．３〜１．０ｍｍ（好ましくは、０．４〜０．８ｍｍ）の範囲に設定することが自然な感じの竹節形状を表現する上で好ましい。
【００１２】
傾斜部９と縮径部１１とは、互いに異なる勾配を成して形成されており、本実施の形態では、縮径部１１は、傾斜部９よりも急勾配に形成されている。具体的には、上述した長さ寸法Ｌ１の範囲内において、縮径部１１は、突起部７を境にして軸長方向Ｓの他方側に１ｍｍ程度又は２ｍｍ程度の長さＬ２で形成され、傾斜部９は、Ｌ１−Ｌ２の長さ範囲に形成される。この場合、長さＬ２において、縮径部１１は、段差状又は急傾斜状に形成され、これに対して、Ｌ１−Ｌ２の長さ範囲において、傾斜部９は、自然な感じの竹節形状になるように、突起部７の頂部７ａから竿管３外面に向ってなだらかに傾斜して、竿管３外面に面一状に連続している。
【００１３】
前記膨出部５の頂部７ａから縮径部１１に亘る領域中には、周方向に沿って、視認できるように、例えば茶系色や竹肌色の線状模様３５が一体的に形成されており、この線状模様３５は、揺らぎのある自然な感じの線状模様、好ましくは、線の幅方向に濃さや太さや端面形状（すなわち輪郭）が変化し且つ揺らいでいるような線状模様となっている。
【００１４】
次に、上述したような管状体即ち釣竿１の製造方法について説明する。
【００１５】
まず、管状体部即ち竿管３を形成する。竿管３は、強化繊維（例えば、カーボン、ガラス、ボロン、セラミックス、金属、有機繊維など）に、マトリックス材（例えば、エポキシ、ポリエステル、フェノール、アルミなど）を含浸させた、いわゆるプリプレグから成る竿管本体１５を備えて構成されている。この場合、竿管３外面に対する膨出部５の密着性を向上させるために、竿管本体１５の外面に１層又は複数層から成る塗膜層１７を形成することが好ましい。なお、塗膜層１７は、必ずしも必要では無く、竿管本体１５の外面に直接膨出部５を形成しても良い。
【００１６】
次に、この竿管３の外面に膨出部５を形成する。この膨出部５の形成工程において、突起部７を形成した後、傾斜部９及び縮径部１１を順次形成する。
【００１７】
突起部７は、膨出部５の高さＨの基準となり、膨出部５全体の高さの約８０％以上を突起部７で構成することが好ましい。従って、これを満足するように、竿管３の外面に周方向に沿って１層又は複数層から成る突起層を形成する。なお、図１（ｂ）では、その一例として、２層から成る突起層１９，２１によって突起部７を形成している。
【００１８】
続いて、この突起部７を境にして軸長方向Ｓの一方側に傾斜部９を形成する。傾斜部９は、突起部７の頂部７ａ（図１（ｂ）参照）から竿管３外面に向ってなだらかに傾斜させた傾斜状層２３によって形成する。
【００１９】
これら突起部７（突起層１９，２１）及び傾斜部９（傾斜状層２３）を形成する方法としては、例えば、所定の塗料を線入れ状に塗布する方法（塗装処理法）や、厚みのある幅の狭いテープを竿管３外面に巻回する方法（テープ巻回法）等を適用することができる。
【００２０】
塗装処理法に用いる塗料としては、その粘度や硬度が同程度の塗料（例えば、エポキシ樹脂塗料、ポリウレタン樹脂塗料など）を用いることが可能であるが、粘度及び硬度に相対的な差を持たせても良い。例えば粘度に差を持たせる場合、傾斜部９に用いる塗料（例えば、エポキシ、ポリウレタン樹脂塗料など）よりも高い粘度の塗料（例えば、肉盛り、糸止め用エポキシ、アクリル樹脂など）で突起部７を形成すれば、突起部７をより高く肉盛りすることができる。これに対して、例えば硬度に差を持たせる場合、突起部７に用いる塗料（例えば、エポキシ、ポリウレタン樹脂塗料など）よりも高い硬度の塗料（例えば、フッ素樹脂塗料など）で傾斜部９を形成すれば、傾斜部９の耐磨耗性を向上させることができると同時に、竿管３及び傾斜部９に対する突起部７の密着性を向上させることができる。なお、硬度としては、３Ｈ以下（好ましくは、３Ｈ〜Ｂ）の鉛筆硬度が好ましい。
【００２１】
また、テープ巻回法に用いるテープとしては、例えば、エポキシレジンを含浸させた熱硬化型カーボンテープなどのテープ材を用いることができる。
【００２２】
このような方法において、突起部７及び傾斜部９を形成した後、傾斜部９が竿管３外面に対して面一状に且つなだらかに（段差無く）連続するように、必要に応じて表面処理を施すことが好ましい。表面処理としては、例えば研摩処理（機械による研摩処理、手作業による研摩処理など）を用いることができる。
【００２３】
以上、突起部７及び傾斜部９を形成するに際し、これと同時に、突起部７の他方側には、傾斜部９よりも急勾配の縮径部１１が段差状に形成される。
【００２４】
続いて、膨出部５の頂部７ａから縮径部１１に亘る領域中に、線状模様用の塗料を周方向に塗装して塗膜層（線状模様）３５を形成した後、少なくとも塗膜層３５を覆うように装飾層３７を形成する。そして、塗膜層３５が形成された部分の装飾膜３７に対して研摩処理を施して、塗膜層３５を線状に露出させる。この場合、研摩処理としては、例えば機械による研摩処理や手作業による研摩処理などを適用することが可能であり、この研摩処理によって、揺らぎのある自然な感じの線状模様３５（具体的には、線の幅方向に濃さや太さや端面形状（すなわち輪郭）が変化し且つ揺らいでいる状態）が一体的に形成される。なお、竿管３外面には、装飾層３７を形成する際に同時に、竹目模様（筋状の模様）を形成しても良いし、或いは装飾層３７の外面に竹目模様３１を印刷しても良い。
【００２５】
この後、少なくとも膨出部５を覆うように透明又は半透明の保護層３９を形成することによって、図１（ｂ）に示すような膨出部５を有する管状体即ち釣竿１が完成する。
【００２６】
このように本実施の形態によれば、膨出部において、自然な感じの線状模様３５が施された管状体１を実現することができる。この場合、線状模様３５を竹目模様と共に同系色（例えば、茶系色、竹肌色）の塗料で形成することによって、より自然な感じの外観を実現することができる。更に、研摩処理によって線状模様３５を一体的に形成することができるため、剥離等の発生を防止して耐久性に優れた管状体１を実現することができる。
【００２７】
なお、上述した実施の形態において、膨出部５は、突起部７（突起層１９，２１）及び傾斜部９（傾斜状層２３）によって構成したが、これに限定されることは無く、例えば図１（ｃ）に示すように、１つの層４１によって膨出部５を構成しても良い。
【００２８】
また、上述した実施の形態では、研摩処理によって線状模様３５を露出形成している。本発明には含まれないが、例えば図２（ａ），（ｂ）は、シゴキ塗装によって線状模様３３並びに竹目模様３１を同時に形成する方法を示す。この方法では、突起部７及び傾斜部９並びに縮径部１１を形成した後、少なくともこれらを覆うように装飾層３７（図１（ｂ）参照）を形成し、この装飾層３７の外面にシゴキ塗装を施す。
【００２９】
シゴキ塗装とは、管状体部即ち竿管３の軸長方向Ｓに沿って塗料をスライドさせながら塗装する際に、塗料が均一に付着しないことを利用して、軸長方向Ｓに竹目模様３１を形成する方法である。言い方を変えれば、このシゴキ塗装による方法は、軸長方向Ｓへの塗料の塗りムラを利用して種々の形状の模様を形成する方法である。
【００３０】
この場合、塗料をスライドさせながら塗装する方法としては、例えば手の平に塗料を付着させて竿管３を握りしめた状態で、手の平を竿管３の軸長方向Ｓに沿ってスライドさせれば、手の平に形成された指紋やしわによって、軸長方向Ｓに沿って塗料の塗りムラが発生する。そして、この塗りムラによって竹目模様３１が形成される。その際、膨出部５（特に、膨出部５の頂部７ａから縮径部１１に亘る領域）では、特に塗料が複雑な形状で溜まるため、その部分に揺らぎのある自然な感じの線状模様３３が併せて形成される。なお、手の平の代わりに、例えばスポンジ等から成るリング状部材を用いても同様の効果を実現することができる。
【００３１】
また、上述した実施の形態では、単一の膨出部５を用いて竹節形状を表現させているが、これに限定されることは無く、例えば図２（ｃ）に示すように、一対の膨出部５，５´によって竹節形状を表現させても良い。この場合、一対の膨出部５，５´は、線状模様３３を挟んで左右対称に配置構成されている。
【００３２】
更に、自然に成長した竹には、等間隔に竹節（膨出部５）が形成されていることは無い。実際には、例えば図３に示すように、根元側の竹節は、相互に近接しており、先側に行くに従って竹節相互の間隔が拡がっている。更に、先側の竹目模様は、根元側に比べて次第に細線化していると共に、軸長方向Ｓに沿って平行に延出している。これに対して、根元側の竹目模様は、先側に比べて太線化していると共に、ランダム方向（軸長方向Ｓに対して傾斜及び蛇行する方向）に延出している。そして、膨出部５の高さＨは、先側から根元側に行くに従って徐々に高くなっている。上述した実施の形態によれば、このようなより自然な状態を満足するように、図３に示すような形状及び構成の管状体１を製造することが可能である。
【００３３】
【発明の効果】
本発明によれば、管状体部の周方向に沿って線状に露出する塗膜層の濃さや太さや端面形状（すなわち輪郭）が変化し且つ揺らいでいるような線状模様が施され且つ耐久性に優れた管状体及びその製造方法を提供することができる。
【図面の簡単な説明】
【図１】（ａ）は、本発明の一実施の形態に係る管状体の外観図、（ｂ）は、研摩処理によって線状模様が露出形成された膨出部の構成を示す断面図、（ｃ）は、本発明の変形例に係る膨出部の断面図。
【図２】（ａ）は、本発明の変形例に係る管状体の外観図、（ｂ）は、シゴキ塗装によって線状模様及び竹目模様を同時に形成された管状体の外観図、（ｃ）は、本発明の変形例に係る管状体の外観図。
【図３】より自然な状態の管状体の外観図。
【符号の説明】
１  釣竿（管状体）
３  竿管（管状体部）
５  膨出部
７  突起部
７ａ  頂部
９  傾斜部
１１  縮径部
【図１】
0004051161.tif 000002
【図２】
0004051161.tif 000003
【図３】
0004051161.tif 000004